(57)【要約】【課題】密着型イメージセンサに摺動部材を設けるといった加工を行うことなく、しかも摺動部材を容易に交換することができるだけでなく、走査基台と摺動部材との摩擦抵抗を極力抑えることができ、これにより、密着型イメージセンサの原稿に対する焦点距離を確実に確保することができる画像読取装置及び画像形成装置を提供する。【解決手段】画像読取装置は、密着型イメージセンサを備えた走査体と、原稿を載置する原稿載置台とを備えている。走査体は、走査基台と、付勢部材と、摺動部材とを備えている。摺動部材は、密着型イメージセンサと原稿載置台との間に配置される摺動部と、副走査方向における走査基台の両側面に沿って摺動部から下方に延びる一対の延設部とからなっている。摺動部は、原稿載置台に接触した状態で密着型イメージセンサよりも副走査方向における外側に延出する延出部を有している。【選択図】図１８
2018019429.tif 000002
【特許請求の範囲】
【請求項１】
密着型イメージセンサを備えた走査体と、原稿を載置する原稿載置台とを備え、前記走査体を副走査方向に移動させながら前記原稿載置台に載置された前記原稿を走査することで前記原稿の画像を前記密着型イメージセンサで読み取る画像読取装置であって、
前記走査体は、前記密着型イメージセンサが前記原稿載置台に対して接近又は離反するように前記密着型イメージセンサを移動自在に支持する走査基台と、前記密着型イメージセンサを前記原稿載置台に向けて付勢する付勢部材と、前記原稿載置台に摺動される摺動部材とを備え、
前記摺動部材は、前記密着型イメージセンサと前記原稿載置台との間に配置される摺動部と、前記副走査方向における前記走査基台の両側面に沿って前記摺動部から下方に延びる一対の延設部とからなり、
前記摺動部は、前記原稿載置台に接触した状態で前記密着型イメージセンサよりも前記副走査方向における外側に延出する延出部を有していることを特徴とする画像読取装置。
【請求項２】
請求項１に記載の画像読取装置であって、
前記摺動部材は、前記副走査方向と直交する主走査方向における前記密着型イメージセンサの両側端部に設けられ、
前記両側端部に設けられた前記摺動部材は、前記副走査方向における中央の仮想中央線を基準に線対称とされていることを特徴とする画像読取装置。
【請求項３】
請求項１又は請求項２に記載の画像読取装置であって、
前記摺動部材は、前記副走査方向と直交する主走査方向における前記密着型イメージセンサの両側端部に設けられ、
前記両側端部に設けられた前記摺動部材の前記延出部は、それぞれ、前記副走査方向において何れか一方の同じ側に配設されていることを特徴とする画像読取装置。
【請求項４】
請求項１から請求項３までの何れか１つに記載の画像読取装置であって、
前記摺動部材の前記延出部は、前記副走査方向での前記原稿の画像読取方向における上流側に配設されていることを特徴とする画像読取装置。
【請求項５】
請求項１から請求項４までの何れか１つに記載の画像読取装置であって、
前記密着型イメージセンサは、前記走査基台の前記副走査方向における一端部に、前記副走査方向と直交する主走査方向に沿った回動軸線回りに回動可能に軸支され、
前記摺動部材の前記延出部は、前記副走査方向において前記軸支側とは反対側に配設されていることを特徴とする画像読取装置。
【請求項６】
請求項１から請求項５までの何れか１つに記載の画像読取装置であって、
前記一対の延設部の前記走査基台と対向する側面には、係合部が設けられており、
前記走査基台の前記副走査方向における前記両側面には、前記係合部と係合する被係合部が設けられていることを特徴とする画像読取装置。
【請求項７】
請求項６に記載の画像読取装置であって、
前記走査基台の前記副走査方向における前記両側面のうち少なくとも一方の側面には、前記延設部の前記副走査方向と直交する主走査方向における両側において、前記延設部の前記原稿載置台に対する鉛直方向への移動をガイドする一対のガイド部が設けられていることを特徴とする画像読取装置。
【請求項８】
請求項７に記載の画像読取装置であって、
前記摺動部材は、前記一対の延設部が前記走査基台に対して前記副走査方向に沿った回動軸線回りに回動自在に係合され、前記一対のガイド部のうち前記主走査方向における外側にある一方のガイド部は、前記延設部の少なくとも前記回動軸線よりも前記原稿載置台側の部分を案内するように、かつ、前記鉛直方向において前記原稿載置台側の端部が他方のガイド部の前記原稿載置台側の端部よりも前記原稿載置台側に位置するように設けられていることを特徴とする画像読取装置。
【請求項９】
請求項７に記載の画像読取装置であって、
前記摺動部材は、前記一対の延設部が前記走査基台に対して前記副走査方向に沿った回動軸線回りに回動自在に係合され、前記一対のガイド部のうち前記主走査方向における内側にある一方のガイド部は、前記延設部の少なくとも前記回動軸線よりも前記原稿載置台側の部分を案内するように、かつ、前記鉛直方向において前記原稿載置台側の端部が他方のガイド部の前記原稿載置台側の端部よりも前記原稿載置台側に位置するように設けられていることを特徴とする画像読取装置。
【請求項１０】
請求項８又は請求項９に記載の画像読取装置であって、
前記他方のガイド部は、前記延設部の少なくとも前記回動軸線よりも前記原稿載置台側とは反対側の部分を案内するように設けられていることを特徴とする画像読取装置。
【請求項１１】
請求項７に記載の画像読取装置であって、
前記摺動部材は、前記一対の延設部が前記走査基台に対して前記副走査方向に沿った回動軸線回りに回動自在に係合され、前記一対のガイド部は、何れも前記延設部の少なくとも前記回動軸線よりも前記原稿載置台側の部分を案内するように設けられていることを特徴とする画像読取装置。
【請求項１２】
請求項７から請求項１１までの何れか１つに記載の画像読取装置であって、
前記一対のガイド部は、前記鉛直方向における前記原稿載置台側の端部が前記走査基台の前記鉛直方向における前記原稿載置台側の端部まで設けられていることを特徴とする画像読取装置。
【請求項１３】
請求項１から請求項１２までの何れか１つに記載の画像読取装置であって、
前記摺動部は、前記原稿載置台に対し線接触又は点接触するような形状に形成されていることを特徴とする画像読取装置。
【請求項１４】
請求項１から請求項１３までの何れか１つに記載の画像読取装置であって、
前記摺動部材の前記走査基台に対する係合は、凹凸係合とされていることを特徴とする画像読取装置。
【請求項１５】
請求項１から請求項１４までの何れか１つに記載の画像読取装置を備えたことを特徴とする画像形成装置。
【発明の詳細な説明】
【技術分野】
【０００１】
本発明は、密着型イメージセンサを備えた画像読取装置及びそれを備えた画像形成装置に関する。
【背景技術】
【０００２】
従来の画像読取装置の中には、密着型イメージセンサを備えた走査体を副走査方向に移動させながら原稿載置台に載置された原稿を走査することで原稿の画像を読み取るものがある。
【０００３】
かかる画像読取装置においては、密着型イメージセンサは、通常、焦点深度が極端に浅いことから、原稿載置台に載置された原稿を読み取るにあたって、焦点深度精度を向上させるために、密着型イメージセンサと原稿載置台との間を一定の距離に確保する摺動部材により、密着型イメージセンサにおける読取部を原稿載置台の密着型イメージセンサとの対向面に近接させた状態で原稿に対する一定の焦点距離を確保しながら密着型イメージセンサを副走査方向に移動させるようになっている。
【０００４】
例えば、特許文献１は、密着型イメージセンサに設けた摺動部材（スペーサ）を原稿載置台の密着型イメージセンサとの対向面（ガイドプレート）に接触させることにより、原稿に対する焦点距離を確保する構成（段落［００４１］及び図３）を開示している。
【０００５】
しかしながら、特許文献１に記載の発明では、密着型イメージセンサに摺動部材を設けるといった加工を行う必要があり、そうすると、密着型イメージセンサとして、安価な汎用品を用いることができない。
【０００６】
また、特許文献２は、原稿載置台の密着型イメージセンサとの対向面（カバーガラスの裏面）によって摺動部材（突起）が押し下げられ、それに応じて左右の押圧部の鉤部が弾性変形しつつ夫々押し下げられ、フレームの所定の位置に押し付けた状態でホルダを固定することにより、位置決め精度の向上を図る構成（段落［００３４］及び図１０Ｂ）を開示している。
【０００７】
しかしながら、特許文献２に記載の発明では、原稿載置台の密着型イメージセンサとの対向面との摺動による摺動部材の摩耗、破損が発生した場合、摺動部材を交換する交換作業の容易性には課題が残る。
【先行技術文献】
【特許文献】
【０００８】
【特許文献１】特開２００６−２１１３５３号公報
【特許文献２】特開２０１２−７０４１１号公報
【特許文献３】特開２０１３−２２５７５８号公報
【発明の概要】
【発明が解決しようとする課題】
【０００９】
これに対し、特許文献３は、密着型イメージセンサを原稿載置台側に付勢した状態で支持する走査基台において、副走査方向における一方側の側面に設けられた係止溝に、摺動部材の副走査方向における一端側に設けられた係止凸部を係止し、副走査方向における他方側の頂面（上面）に設けられた規制穴に、摺動部材の副走査方向における他端側に設けられた当接凸部を係止する構成（段落［００６７］，［００７６］，［００７７］及び図１５）を開示している。
【００１０】
しかしながら、特許文献３に記載の発明では、密着型イメージセンサに摺動部材を設けるといった加工を行うことなく、摺動部材を容易に交換することができるものの、次のような不都合がある。
【００１１】
図３１は、特許文献３に記載の従来の走査体２００を示す概略断面図である。
【００１２】
図３１に示す特許文献３に記載の走査体２００では、例えば、摺動部材２０２を走査基台２０１に取り付ける際に、摺動部材２０２が走査基台２０１に押し込まれたり、或いは、画像読取装置において走査体２００を副走査方向Ｙに移動させるにあたり、走査基台２０１が原稿載置台４０側とは反対側（鉛直方向Ｚの下側）に相対移動して原稿載置台４０から離反したりすると、密着型イメージセンサ２０３が走査基台２０１に対して原稿載置台４０側（鉛直方向Ｚの上側）に付勢されているので、摺動部材２０２が走査基台２０１に対して密着型イメージセンサ２０３の原稿載置台４０側（上側）への付勢力により密着型イメージセンサ２０３と一緒に走査基台２０１側とは反対側（上側）の離反方向に相対移動するところ、特許文献３に記載の発明では、副走査方向Ｙにおける他方側の頂面２０４に設けられた規制穴２０５に、摺動部材２０２の副走査方向Ｙにおける他端側に設けられた当接凸部２０６を係止するので、規制穴２０５と当接凸部２０６との間の摩擦抵抗により、摺動部材２０２が走査基台２０１に対して走査基台２０１側とは反対側（上側）の離反方向に相対移動しないことがある。すなわち、摺動部材２０２が走査基台２０１に押し込まれる場合には、該押し込みが解除されても摺動部材２０２が復帰しなかったり、或いは、走査基台２０１が原稿載置台４０から離反する場合には、摺動部材２０２及び密着型イメージセンサ２０３が密着型イメージセンサ２０３の原稿載置台４０側（上側）への付勢力に抗して走査基台２０１と一緒に原稿載置台４０から離反したりすることがあり、そうすると、密着型イメージセンサ２０３の原稿Ｇに対する焦点距離を確保することができないことがある。
【００１３】
そこで、本発明は、密着型イメージセンサに摺動部材を設けるといった加工を行うことなく、しかも摺動部材を容易に交換することができるだけでなく、走査基台と摺動部材との摩擦抵抗を極力抑えることができ、これにより、密着型イメージセンサの原稿に対する焦点距離を確実に確保することができる画像読取装置及び画像形成装置を提供することを目的とする。
【課題を解決するための手段】
【００１４】
本発明は、前記課題を解決するために、次の画像読取装置及び画像形成装置を提供する。
【００１５】
（１）画像読取装置
密着型イメージセンサを備えた走査体と、原稿を載置する原稿載置台とを備え、前記走査体を副走査方向に移動させながら前記原稿載置台に載置された前記原稿を走査することで前記原稿の画像を前記密着型イメージセンサで読み取る画像読取装置であって、
前記走査体は、前記密着型イメージセンサが前記原稿載置台に対して接近又は離反するように前記密着型イメージセンサを移動自在に支持する走査基台と、前記密着型イメージセンサを前記原稿載置台に向けて付勢する付勢部材と、前記原稿載置台に摺動される摺動部材とを備え、前記摺動部材は、前記密着型イメージセンサと前記原稿載置台との間に配置される摺動部と、前記副走査方向における前記走査基台の両側面に沿って前記摺動部から下方に延びる一対の延設部とからなり、前記摺動部は、前記原稿載置台に接触した状態で前記密着型イメージセンサよりも前記副走査方向における外側に延出する延出部を有していることを特徴とする画像読取装置。
【００１６】
（２）画像形成装置
前記本発明に係る画像読取装置を備えたことを特徴とする画像形成装置。
【００１７】
本発明において、前記摺動部材は、前記副走査方向と直交する主走査方向における前記密着型イメージセンサの両側端部に設けられ、前記両側端部に設けられた前記摺動部材は、前記副走査方向における中央の仮想中央線を基準に線対称とされている態様を例示できる。
【００１８】
本発明において、前記摺動部材は、前記副走査方向と直交する主走査方向における前記密着型イメージセンサの両側端部に設けられ、前記両側端部に設けられた前記摺動部材の前記延出部は、それぞれ、前記副走査方向において何れか一方の同じ側に配設されている態様を例示できる。
【００１９】
本発明において、前記摺動部材の前記延出部は、前記副走査方向での前記原稿の画像読取方向における上流側に配設されている態様を例示できる。
【００２０】
本発明において、前記密着型イメージセンサは、前記走査基台の前記副走査方向における一端部に、前記副走査方向と直交する主走査方向に沿った回動軸線回りに回動可能に軸支され、前記摺動部材の前記延出部は、前記副走査方向において前記軸支側とは反対側に配設されている態様を例示できる。
【００２１】
本発明において、前記一対の延設部の前記走査基台と対向する側面には、係合部が設けられており、前記走査基台の前記副走査方向における前記両側面には、前記係合部と係合する被係合部が設けられている態様を例示できる。
【００２２】
本発明において、前記走査基台の前記副走査方向における前記両側面のうち少なくとも一方の側面には、前記延設部の前記副走査方向と直交する主走査方向における両側において、前記延設部の前記原稿載置台に対する鉛直方向への移動をガイドする一対のガイド部が設けられている態様を例示できる。
【００２３】
本発明において、前記摺動部材は、前記一対の延設部が前記走査基台に対して前記副走査方向に沿った回動軸線回りに回動自在に係合され、前記一対のガイド部のうち前記主走査方向における外側にある一方のガイド部は、前記延設部の少なくとも前記回動軸線よりも前記原稿載置台側の部分を案内するように、かつ、前記鉛直方向において前記原稿載置台側の端部が他方のガイド部の前記原稿載置台側の端部よりも前記原稿載置台側に位置するように設けられている態様を例示できる。
【００２４】
本発明において、前記摺動部材は、前記一対の延設部が前記走査基台に対して前記副走査方向に沿った回動軸線回りに回動自在に係合され、前記一対のガイド部のうち前記主走査方向における内側にある一方のガイド部は、前記延設部の少なくとも前記回動軸線よりも前記原稿載置台側の部分を案内するように、かつ、前記鉛直方向において前記原稿載置台側の端部が他方のガイド部の前記原稿載置台側の端部よりも前記原稿載置台側に位置するように設けられている態様を例示できる。
【００２５】
本発明において、前記他方のガイド部は、前記延設部の少なくとも前記回動軸線よりも前記原稿載置台側とは反対側の部分を案内するように設けられている態様を例示できる。
【００２６】
本発明において、前記摺動部材は、前記一対の延設部が前記走査基台に対して前記副走査方向に沿った回動軸線回りに回動自在に係合され、前記一対のガイド部は、何れも前記延設部の少なくとも前記回動軸線よりも前記原稿載置台側の部分を案内するように設けられている態様を例示できる。
【００２７】
本発明において、前記一対のガイド部は、前記鉛直方向における前記原稿載置台側の端部が前記走査基台の前記鉛直方向における前記原稿載置台側の端部まで設けられている態様を例示できる。
【００２８】
本発明において、前記摺動部は、前記原稿載置台に対し線接触又は点接触するような形状に形成されている態様を例示できる。
【００２９】
本発明において、前記摺動部材の前記走査基台に対する係合は、凹凸係合とされている態様を例示できる。
【発明の効果】
【００３０】
本発明によると、前記密着型イメージセンサに前記摺動部材を設けるといった加工を行うことなく、しかも前記摺動部材を容易に交換することができるだけでなく、前記走査基台と前記摺動部材との摩擦抵抗を極力抑えることができ、これにより、前記密着型イメージセンサの前記原稿に対する焦点距離を確実に確保することが可能となる。
【図面の簡単な説明】
【００３１】
【図１】本発明の実施の形態に係る画像読取装置を備えた画像形成装置の概略構成を示す正面図である。
【図２】図１に示す画像読取装置を正面から視た概略断面図である。
【図３】図１に示す画像読取装置における原稿搬送部を取り外した状態において走査部を平面から視た平面図である。
【図４】図１に示す画像読取装置における走査部の内部構造を示す図であって、（ａ）は、その平面図であり、（ｂ）は、その右側面図である。
【図５】第１実施形態に係る走査体における密着型イメージセンサと走査基台とを分解して示す分解斜視図である。
【図６】第１実施形態に係る走査体における密着型イメージセンサと走査基台とを組み合わせた状態を示す外観図であって、（ａ）は、その平面図であり、（ｂ）は、その右側面図である。
【図７】図６に示す走査体における密着型イメージセンサと走査基台とを組み合わせた状態を示す正面図である。
【図８】第１実施形態に係る走査体における密着型イメージセンサの斜視図である。
【図９】第１実施形態に係る走査体における密着型イメージセンサの外観図であって、（ａ）は、その平面図であり、（ｂ）は、その右側面図である。
【図１０】図８及び図９に示す密着型イメージセンサの概略断面図である。
【図１１】第１実施形態に係る走査体における走査基台の斜視図である。
【図１２】第１実施形態に係る走査体における走査基台の外観図であって、（ａ）は、その平面図であり、（ｂ）は、その右側面図である。
【図１３】図１１及び図１２に示す走査基台の正面図である。
【図１４】走査体における摺動部材を示す外観図であって、（ａ）は、その正面図であり、（ｂ）は、その左右の側面図である。
【図１５】第１実施形態に係る走査体を示す斜視図である。
【図１６】第１実施形態に係る走査体を示す外観図であって、（ａ）は、その平面図であり、（ｂ）は、その右側面図である。
【図１７】第１実施形態に係る走査体の正面図である。
【図１８】図１６（ａ）に示す矢符Ｄ−Ｄ線に沿った断面図である。
【図１９】図１６（ａ）に示す矢符Ｅ−Ｅ線に沿った断面図である。
【図２０】図１６（ａ）に示す矢符Ｆ−Ｆ線に沿った断面図である。
【図２１】第２実施形態に係る走査体を示す斜視図である。
【図２２】第２実施形態に係る走査体の主走査方向における両端部を拡大して示す平面図である。
【図２３】第２実施形態に係る走査体の主走査方向における両端部を拡大して示す右側面図である。
【図２４】第２実施形態に係る走査体の主走査方向における両端部を拡大して示す左側面図である。
【図２５】第３実施形態に係る走査体の主走査方向における両端部を拡大して示す平面図である。
【図２６】第３実施形態に係る走査体の主走査方向における両端部を拡大して示す右側面図である。
【図２７】第３実施形態に係る走査体の主走査方向における両端部を拡大して示す左側面図である。
【図２８】第４実施形態に係る走査体の主走査方向における両端部を拡大して示す平面図である。
【図２９】第４実施形態に係る走査体の主走査方向における両端部を拡大して示す右側面図である。
【図３０】第４実施形態に係る走査体の主走査方向における両端部を拡大して示す左側面図である。
【図３１】特許文献３に記載の従来の走査体を示す概略断面図である。
【発明を実施するための形態】
【００３２】
以下、本発明に係る実施の形態について図面を参照しながら説明する。
【００３３】
［画像形成装置］
図１は、本発明の実施の形態に係る画像読取装置２を備えた画像形成装置１の概略構成を示す正面図である。
【００３４】
図１に示すように、画像形成装置１は、画像読取装置２及び装置本体１０を備えており、画像読取装置２により読み取った画像データに基づいて装置本体１０によりカラー画像を用紙等の記録シートに画像形成する。
【００３５】
画像読取装置２は、原稿搬送部６１及び走査部４１を備え、原稿搬送部６１で搬送される原稿Ｇを走査部４１で読み取るか、或いは、原稿載置台４０に載置された原稿Ｇを走査部４１で読み取り、読み取った原稿Ｇの画像を画像データとして出力する。なお、画像読取装置２については、後ほど詳しく説明する。
【００３６】
装置本体１０は、光走査装置１１、現像装置１２、感光体ドラム１３、ドラムクリーニング装置１４、帯電器１５、中間転写ベルト２１、定着装置１７、シート搬送経路Ｒ１、給紙トレイ１８及び排出トレイ３９を備えている。
【００３７】
カラー画像は、ブラック（Ｋ）、シアン（Ｃ）、マゼンタ（Ｍ）、およびイエロー（Ｙ）の各色のトナー像を重ねて形成される。このため、現像装置１２、感光体ドラム１３、ドラムクリーニング装置１４及び帯電器１５は、各色に応じた４種類のトナー像を形成するようにそれぞれ４つずつ設けられ、それぞれがブラック、シアン、マゼンタ、およびイエローに対応付けられて、４つの画像ステーションＰａ、Ｐｂ、Ｐｃ、Ｐｄが構成されている。
【００３８】
各画像ステーションＰａ、Ｐｂ、Ｐｃ、Ｐｄの何れにおいても、以下に示す同様の動作がなされる。ドラムクリーニング装置１４は、感光体ドラム１３の表面の残留トナーを除去および回収する。帯電器１５は、感光体ドラム１３の表面を所定の電位に均一に帯電させる。光走査装置１１は、感光体ドラム１３の表面を露光して静電潜像を形成する。現像装置１２は、感光体ドラム１３の表面の静電潜像を現像して、感光体ドラム１３の表面にトナー像を形成する。前述した一連の動作によって、各感光体ドラム１３の表面に各色のトナー像が形成される。
【００３９】
引き続いて、中間転写ベルト２１は、矢印Ｃの方向へ周回移動し、ベルトクリーニング装置２５によって残留トナーが除去及び回収され、各感光体ドラム１３の表面に形成された各色のトナー像が順次転写して重ね合わされて、中間転写ベルト２１の表面にカラーのトナー像が形成される。
【００４０】
２次転写装置２６の転写ローラ２６ａは、中間転写ベルト２１との間にニップ域が形成されており、シート搬送経路Ｒ１を通じて搬送されてきた記録シートをニップ域に挟み込んで搬送する。記録シートは、ニップ域を通過する際に、中間転写ベルト２１の表面のトナー像が転写される。定着装置１７は、加熱ローラ３１および加圧ローラ３２の間にトナー像が転写された記録シートを挟み込んで加熱および加圧し、トナー像を記録シートに定着させる。
【００４１】
給紙トレイ１８には、記録シートが積載されている。記録シートは、ピックアップローラ３３によって給紙トレイ１８から引き出されて、シート搬送経路Ｒ１を通じて搬送され、２次転写装置２６や定着装置１７を経由し、排出ローラ３６を介して排出トレイ３９へ排出される。
【００４２】
シート搬送経路Ｒ１には、記録シートを一端停止させて記録シートの先端を揃えた後、中間転写ベルト２１と転写ローラ２６ａとの間のニップ域におけるトナー像の転写タイミングに合わせて、記録シートの搬送を開始するレジストローラ３４、記録シートの搬送を促す各搬送ローラ３５及び排出ローラ３６が配置されている。
【００４３】
また、装置本体１０は、記録シートの表面だけでなく、裏面に画像形成を行う場合は、記録シートを排出ローラ３６から反転経路Ｒｒへ逆方向に搬送して、記録シートの表裏を反転させてレジストローラ３４へ再度導き、記録シートの表面と同様にして、記録シートの裏面にトナー像を定着させて排出トレイ３９へ排出する。
【００４４】
なお、図１において、符号Ｘは、主走査方向を示しており、符号Ｙは、主走査方向Ｘに直交する副走査方向Ｙを示しており、符号Ｚは、原稿載置台４０に対する鉛直方向（具体的には上下方向）を示している。
【００４５】
［画像読取装置］
図２は、図１に示す画像読取装置２を正面から視た概略断面図である。図３は、図１に示す画像読取装置２における原稿搬送部６１を取り外した状態において走査部４１を平面から視た平面図である。また、図４は、図１に示す画像読取装置２における走査部４１の内部構造を示す図である。図４（ａ）は、その平面図を示しており、図４（ｂ）は、その右側面図を示している。
【００４６】
本実施の形態に係る画像読取装置２は、密着型イメージセンサ４８を備えた走査体ＳＵと、原稿Ｇを載置する原稿載置台４０とを備え、走査体ＳＵを副走査方向Ｙの一方側（図中の右側）に移動させながら原稿載置台４０に載置された原稿Ｇを走査することで原稿Ｇの画像を密着型イメージセンサ４８で読み取るようになっている。
【００４７】
画像読取装置２は、装置本体１０（図１参照）の上面に配設されて走査体ＳＵ及び原稿載置台４０を備えた走査部４１と、走査部４１の上面に配設された原稿搬送部６１（図１及び図２参照）とを備えている。
【００４８】
原稿搬送部６１は、走査部４１に対して主走査方向Ｘにおける一方側である背面側（操作側とは反対側）において副走査方向Ｙに沿った枢支軸回りに回動自在に設けられており、正面側（操作側）から開放されることによって走査部４１における原稿載置台４０が開放されるようになっている。
【００４９】
走査部４１は、走査体ＳＵ及び原稿載置台４０に加えて、透明な平板状の原稿読取板（具体的には原稿読取ガラス４２）、透明な平板状の原稿載置板（具体的には原稿載置ガラス４３）、筐体４４及び駆動部ＭＵ（図２及び図４）を備えている。
【００５０】
走査体ＳＵは、原稿読取ガラス４２及び原稿載置ガラス４３の下方において、筐体４４に対して副走査方向Ｙに沿って往復移動自在に設けられ、駆動部ＭＵにより駆動されるようになっている。
【００５１】
画像読取装置２は、図示を省略した制御部の指示の下、駆動部ＭＵにより走査体ＳＵを原稿読取ガラス４２の下方の位置に停止させて、原稿搬送部６１により搬送されて原稿読取ガラス４２上を通過する原稿Ｇの画像を読み取る原稿移動読取動作と、走査体ＳＵを原稿載置ガラス４３の下面４３ａに沿って副走査方向Ｙに移動させつつ、原稿載置ガラス４３上に載置された原稿Ｇの画像を読み取る原稿固定読取動作とを行う構成とされている。
【００５２】
詳しくは、原稿搬送部６１（図２参照）は、原稿Ｇを載置する原稿トレイ６２と、原稿トレイ６２に載置された原稿Ｇを１枚ずつ引き出す読取側ピックアップローラ６３と、読取側ピックアップローラ６３にて引き出された原稿Ｇを、原稿読取ガラス４２を経て排出側（原稿トレイ６２の下方）へ導く原稿搬送路６４と、原稿搬送路６４上に設けられて読取側ピックアップローラ６３にて引き出された原稿Ｇを搬送する上流側中間搬送ローラ６５と、原稿搬送路６４上に設けられて上流側中間搬送ローラ６５にて搬送された原稿Ｇの先端を揃えると共に原稿Ｇの原稿読取ガラス４２での読取タイミングを調整する読取側レジストローラ６６と、原稿搬送路６４上に設けられて原稿読取ガラス４２から搬送された原稿Ｇを搬送する下流側中間搬送ローラ６７と、原稿搬送路６４上に設けられて下流側中間搬送ローラ６７にて搬送された原稿Ｇを外部に排出する読取側排出ローラ６８と、読取側排出ローラ６８にて外部に排出された原稿Ｇを載置する原稿排出トレイ６９とを備えている。
【００５３】
かかる構成を備えた原稿搬送部６１では、原稿トレイ６２に載置された原稿Ｇは、読取側ピックアップローラ６３によって引き出されて原稿搬送路６４に供給され、原稿搬送路６４において、上流側中間搬送ローラ６５によって読取側レジストローラ６６に向けて搬送される。読取側レジストローラ６６に搬送された原稿Ｇは、読取側レジストローラ６６によって先端が揃えられて所定の読取タイミングで画像面が原稿読取ガラス４２の上面に密着するように搬送される。このとき、原稿読取ガラス４２の下方の位置に停止した状態の走査体ＳＵにおける密着型イメージセンサ４８が原稿読取ガラス４２の上面に沿って搬送される原稿Ｇの画像を読み取る。その後、原稿読取ガラス４２を通過した原稿Ｇは、下流側中間搬送ローラ６７を経て読取側排出ローラ６８によって原稿排出トレイ６９へ排出される。
【００５４】
原稿読取ガラス４２は、密着型イメージセンサ４８における読取部４８１が収まる程度（読取部４８１よりも大きめ）のサイズとされており、長尺な形状（具体的には矩形状）とされている。原稿載置ガラス４３は、最大サイズの原稿Ｇが収まる程度（大サイズの原稿Ｇよりも大きめ）のサイズとされており、長尺な形状（具体的には矩形状）とされている。
【００５５】
筐体４４は、鉛直方向Ｚ（上下方向）に沿って設けられて走査部４１の主走査方向Ｘにおける正面及び背面をそれぞれ構成する各側板４４ａ，４４ａと、鉛直方向Ｚ（上下方向）に沿って設けられて走査部４１の副走査方向Ｙにおける両側面をそれぞれ構成する各側板４４ｂ，４４ｂと、水平方向（主走査方向Ｘ及び副走査方向Ｙ）に沿って設けられて走査部４１の上面を構成し、かつ、副走査方向Ｙに長尺な形状（具体的には矩形状）開口部Ｑ（図３参照）を有する上板４４ｃと、水平方向（主走査方向Ｘ及び副走査方向Ｙ）に沿って設けられて走査部４１の底面を構成する底板４４ｄとを備えている。
【００５６】
筐体４４の上板４４ｃには、長手方向が主走査方向Ｘに向くように配置された原稿読取ガラス４２と、長手方向が副走査方向Ｙに向くように配置された原稿載置ガラス４３とが開口部Ｑを覆うように副走査方向Ｙに沿って並設されている。なお、原稿載置ガラス４３と筐体４４の上板４４ｃとで原稿載置台４０を構成している。
【００５７】
ここで、原稿読取ガラス４２の長手方向（主走査方向Ｘ）のサイズと原稿載置ガラス４３の短手方向（主走査方向Ｘ）のサイズとは、同程度されており、開口部Ｑは、短手方向のサイズが原稿読取ガラス４２の長手方向のサイズ及び原稿載置ガラス４３の短手方向のサイズよりも小さめのサイズとされ、長手方向のサイズが原稿読取ガラス４２の短手方向のサイズと原稿載置ガラス４３の長手方向のサイズとを合計したサイズよりも大きめのサイズとされている。
【００５８】
走査部４１は、原稿読取ガラス４２及び原稿載置ガラス４３を保持する保持部材４５（図２及び図３参照）をさらに備えている。保持部材４５は、筐体４４の上板４４ｃに対して、原稿読取ガラス４２及び原稿載置ガラス４３の主走査方向Ｘ、副走査方向Ｙ及び鉛直方向Ｚの何れの移動も規制するように設けられている。
【００５９】
本実施の形態では、保持部材４５は、原稿読取ガラス４２の４辺および原稿載置ガラス４３の原稿読取ガラス４２側の１辺を保持する矩形状の枠部材とされている。保持部材４５は、原稿読取ガラス４２の原稿載置ガラス４３側の辺、原稿読取ガラス４２の主走査方向Ｘにおける両辺及び原稿載置ガラス４３の原稿読取ガラス４２側の辺を保持する第１保持部４６と、原稿読取ガラス４２の原稿載置ガラス４３とは反対側の辺を保持する第２保持部４７とを有している。
【００６０】
第１保持部４６は、原稿読取ガラス４２の原稿載置ガラス４３側の端面、原稿読取ガラス４２の主走査方向Ｘにおける両端面及び原稿載置ガラス４３の原稿読取ガラス４２側の端面に接触している。また、第１保持部４６は、原稿載置ガラス４３の原稿読取ガラス４２側の端部を押さえる第１押さえ部４６ａを有している。
【００６１】
第１保持部４６における第１押さえ部４６ａは、原稿載置ガラス４３に載置される原稿Ｇの副走査方向Ｙにおける原稿読取ガラス４２側への移動を規制する原稿ガイド部を兼ねている。なお、原稿載置ガラス４３に載置される原稿Ｇの主走査方向Ｘにおける一方側（この例では背面側）への移動の規制は、筐体４４を覆う図示を省略したカバー部材によってなされる。
【００６２】
また、第１保持部４６の上面部分は、原稿搬送部６１において原稿読取ガラス４２から搬送されてくる原稿Ｇを原稿読取ガラス４２よりも下流側に導く搬送路の一部を構成している。
【００６３】
第２保持部４７は、原稿読取ガラス４２の原稿載置ガラス４３とは反対側の端面に接触している。また、第２保持部４７は、原稿読取ガラス４２の原稿読取ガラス４２とは反対側の端部を押さえる第２押さえ部４７ａを有している。
【００６４】
また、第２保持部４７の上面部分は、原稿搬送部６１において原稿読取ガラス４２よりも上流側から搬送されてくる原稿Ｇを原稿読取ガラス４２に導く搬送路の一部を構成している。
【００６５】
第１保持部４６は、原稿読取ガラス４２の原稿載置ガラス４３側の端面並びに原稿載置ガラス４３の原稿読取ガラス４２側の端面及び上面に接着されている。第２保持部４７は、原稿読取ガラス４２の原稿載置ガラス４３側とは反対側の端面及び上面に接着されている。つまり、原稿読取ガラス４２及び原稿載置ガラス４３は、保持部材４５を介して連結され一体化されている。
【００６６】
また、第１保持部４６は、原稿載置ガラス４３の上面に接着された部分が第１押さえ部４６ａとされている。第１押さえ部４６ａは、フィルム状の白色基準部材Ｗ（図２参照）を介して原稿載置ガラス４３に接着されている。但し、それに限定されるものではなく、第１押さえ部４６ａを白色の材料で形成して、第１押さえ部４６ａ自体を白色基準部材として兼用したり、第１押さえ部４６ａの裏面に白色塗料を塗布して白色基準部材を形成したりしても構わない。
【００６７】
本実施の形態では、原稿読取ガラス４２と原稿載置ガラス４３とは、同じ厚さとされている（図２参照）。また、原稿読取ガラス４２の下面４２ａ、原稿載置ガラス４３の下面４３ａ、第１保持部４６の下面４６ｂ及び第２保持部４７の下面４７ｂは、同一の平面とされ、走査体ＳＵにおける後述する摺動部材１００が円滑に摺動できるようになっている。
【００６８】
走査部４１は、走査体ＳＵを副走査方向Ｙに沿って案内するガイド部８０（図２及び図３では図示省略、図４参照）をさらに備えている。
【００６９】
ガイド部８０は、筐体４４の主走査方向Ｘにおける中央部において、副走査方向Ｙに沿って配設され、走査体ＳＵを副走査方向Ｙに沿って往復移動自在に支持するようになっている。
【００７０】
詳しくは、ガイド部８０は、棒状（具体的には円柱状）のシャフトとされており、筐体４４の副走査方向Ｙにおける両側板４４ｂ，４４ｂに副走査方向Ｙと平行に架け渡されて固定されている。
【００７１】
走査体ＳＵにおける走査基台７１の基台底板７２（図２及び図４（ｂ）参照）の下面には、主走査方向Ｘの中央部に基台接続部７６が設けられている。基台接続部７６には、ガイド摺動部７６ａが形成されている。ガイド摺動部７６ａは、ガイド部８０の外周の形状に対応する形状（具体的には下方に向く平面視円弧状の凹部）とされており、ガイド部８０に摺動される構造となっている。この例では、走査基台７１は、基台接続部７６を介してガイド部８０に載せられ、ガイド部８０に対して副走査方向Ｙに沿って摺動自在に支持されている。なお、ガイド部８０は、棒状のシャフトに限定されるものではなく、例えば、筐体４４における底板４４ｄから上方に突出し、かつ、副走査方向Ｙに沿って延びた凸部とされていてもよい。
【００７２】
駆動部ＭＵは、筐体４４における底板４４ｄに対して副走査方向Ｙに離間した状態で鉛直方向Ｚに沿って固定された一対の回転軸８１，８２と、一対の回転軸８１，８２に軸線回り回転自在にそれぞれ支持された一対の小プーリ８３，８４と、一対の小プーリ８３，８４に巻き掛けられた無端状の従動ベルト８５と、一対の小プーリ８３，８４のうち何れか一方（この例では副走査方向Ｙにおける走査体ＳＵの初期位置側とは反対側（図中の右側）の小プーリ８４）の回転軸（この例では回転軸８２）に軸線回り回転自在に支持されて一方の小プーリ８４に連結された大プーリ８６と、出力軸８７ａが鉛直方向Ｚに沿うように筐体４４における底板４４ｄに固定された駆動モータ８７と、駆動モータ８７の出力軸８７ａに固定された駆動プーリ８８と、大プーリ８６及び駆動プーリ８８に巻き掛けられた無端状の駆動ベルト８９とを備えている。そして、走査基台７１は、従動ベルト８５における周方向の一部に固定されている。具体的には、走査基台７１は、従動ベルト８５の一部と連結する連結部７６ｂを有している。連結部７６ｂは、従動ベルト８５を嵌め入れる嵌入溝７６ｃ（図４（ｂ）参照）を有しており、従動ベルト８５を嵌入溝７６ｃに嵌め入れることにより、従動ベルト８５を両側面から挟持して保持するようになっている。
【００７３】
かかる構成を備えた駆動部ＭＵでは、図示を省略した制御部の指示の下、駆動モータ８７の出力軸８７ａが回転駆動することにより、駆動プーリ８８が回転し、駆動ベルト８９が周回移動して大プーリ８６が回転し、それに伴い小プーリ８４，８３が回転し、従動ベルト８５が周回移動する。従って、駆動モータ８７の出力軸８７ａが所定の回転方向及び逆回転方向に回転駆動して従動ベルト８５が所定の回転方向及び逆回転方向に周回移動することで、走査体ＳＵを副走査方向Ｙに往復移動させることができる。
【００７４】
なお、本実施の形態では、ガイド摺動部７６ａ及び連結部７６ｂを備えた基台接続部７６を走査基台７１に固定する構造としたが、これに限定されず、ガイド摺動部７６ａ及び連結部７６ｂと基台底板７２とが一体に形成された構造としてもよい。
【００７５】
また、副走査方向Ｙにおける走査体ＳＵの初期位置側（図中の左側）に設けられた側板４４ｂには、走査基台７１に突設された被検知片７３ｂに対応する位置に位置センサ４９が設けられている。位置センサ４９は、発光素子と受光素子とが対向配置されており、発光素子と受光素子との間に侵入した被検知片７３ｂを検知する。図示を省略した制御部は、位置センサ４９の検知結果に基づいて、走査体ＳＵを原稿読取ガラス４２の下方の初期位置に位置決めすることができる。
【００７６】
［走査体］
（第１実施形態）
次に、第１実施形態に係る走査体ＳＵについて図５から図２０を参照しながら、以下に説明する。
【００７７】
図５は、第１実施形態に係る走査体ＳＵにおける密着型イメージセンサ４８と走査基台７１とを分解して示す分解斜視図である。
【００７８】
図６は、第１実施形態に係る走査体ＳＵにおける密着型イメージセンサ４８と走査基台７１とを組み合わせた状態を示す外観図である。図６（ａ）は、その平面図を示しており、図６（ｂ）は、その右側面図を示している。図７は、図６に示す走査体ＳＵにおける密着型イメージセンサ４８と走査基台７１とを組み合わせた状態を示す正面図である。
【００７９】
図８は、第１実施形態に係る走査体ＳＵにおける密着型イメージセンサ４８の斜視図である。図９は、第１実施形態に係る走査体ＳＵにおける密着型イメージセンサ４８の外観図である。図９（ａ）は、その平面図を示しており、図９（ｂ）は、その右側面図を示している。図１０は、図８及び図９に示す密着型イメージセンサ４８の概略断面図である。
【００８０】
また、図１１は、第１実施形態に係る走査体ＳＵにおける走査基台７１の斜視図である。図１２は、第１実施形態に係る走査体ＳＵにおける走査基台７１の外観図である。図１２（ａ）は、その平面図を示しており、図１２（ｂ）は、その右側面図を示している。図１３は、図１１及び図１２に示す走査基台７１の正面図である。
【００８１】
本実施の形態に係る走査体ＳＵは、密着型イメージセンサ４８が原稿載置台４０（図２参照）に対して接近又は離反するように（この例では鉛直方向Ｚに）密着型イメージセンサ４８を移動自在に支持する走査基台７１と、密着型イメージセンサ４８を原稿載置台４０に向けて付勢する付勢部材９０とをさらに備えている。なお、本実施の形態では、付勢部材９０は、走査体ＳＵにおける主走査方向Ｘにおいて離間して設けられた一対の付勢部材９０，９０とされており、例えば、コイルバネとすることができる。
【００８２】
密着型イメージセンサ４８（図５から図１０参照）は、いわゆるＣＩＳ（Contact Image Sensor）と称されるものであり、主走査方向Ｘに長尺な形状とされている。
【００８３】
密着型イメージセンサ４８（図１０参照）は、原稿Ｇを照明する光源５１と、光源５１にて照明されて原稿Ｇから反射された反射光を集光する集光レンズアレイ５２と、集光レンズアレイ５２を通じて受光した原稿Ｇからの反射光を光電変換して画像データを出力する撮像素子５３を備えている。撮像素子５３は、主走査方向Ｘに列設された受光素子を有し、原稿Ｇを主走査方向Ｘに走査して密着型イメージセンサ４８の上面４８４における読取部４８１で原稿Ｇからの反射光を読み取るようになっている。
【００８４】
詳しくは、密着型イメージセンサ４８は、光源５１、集光レンズアレイ５２及び撮像素子５３を収納する筐体４８２（具体的には外装部材である外装カバー）を備えている。筐体４８２は、樹脂などで形成されており、主走査方向Ｘに延びた箱形の形状（具体的には隣り合う各面が直角又は略直角とされた六面体の形状）とされており、上面４８４に主走査方向Ｘに沿って延びる開口部４８３（図１０参照）を有している。そして、開口部４８３に集光レンズアレイ５２を固定する透明なレンズ固定部５４が設けられている。
【００８５】
密着型イメージセンサ４８は、副走査方向Ｙにおける何れか一方の側面（この例では正面から視て右側の側面４８ｄ）に主走査方向Ｘに所定の間隔をおいて設けられて走査基台７１に支持される一対のセンサ側被支持部４８ａ，４８ａを有している。各センサ側被支持部４８ａ，４８ａには、走査基台７１に対して鉛直方向Ｚに移動自在に支持される被支持部（この例では被支持軸４８ｂ，４８ｂ）が形成されている。具体的には、一対のセンサ側被支持部４８ａ，４８ａは、筐体４８２から副走査方向Ｙの一方側（図中の右側）に突出しており、一対の被支持軸４８ｂ，４８ｂは、センサ側被支持部４８ａの主走査方向Ｘにおける一方側（この例では背面側）の端面から主走査方向Ｘにおける一方側（この例では背面側）に突出している。
【００８６】
また、密着型イメージセンサ４８は、下面に主走査方向Ｘに所定の間隔をおいて設けられて付勢部材９０を保持する一対のセンサ側保持部４８ｃ，４８ｃ（図６（ａ）及び図９参照）を有している。センサ側保持部４８ｃは、密着型イメージセンサ４８の下面より上側に窪んで形成されており、付勢部材９０の一端を挿入して保持するようになっている。
【００８７】
走査基台７１（図５から図７及び図１１から図１３参照）は、密着型イメージセンサ４８を原稿載置台４０側に付勢した状態で支持するものであり、主走査方向Ｘに長尺な形状とされている。
【００８８】
走査基台７１は、密着型イメージセンサ４８を長手方向が主走査方向Ｘに向くように、かつ、読取部４８１が原稿載置台４０側を向くように収容して鉛直方向Ｚに移動自在に支持するようになっている。
【００８９】
走査基台７１は、副走査方向Ｙにおける何れか一方の側面（この例では正面から視て右側の外側面７４ａ）の密着型イメージセンサ４８における一対のセンサ側被支持部４８ａ，４８ａに対応する位置に設けられた一対の走査基台側支持部７４ｂ，７４ｂを有している。各走査基台側支持部７４ｂ，７４ｂには、密着型イメージセンサ４８を鉛直方向Ｚに移動自在に支持する支持部（この例では支持孔７４ｃ，７４ｃ）が形成されている。
【００９０】
詳しくは、走査基台７１は、上面が開放されて主走査方向Ｘに延びた箱形の形状とされている。つまり、走査基台７１は、水平方向に沿った基台底板７２と、基台底板７２の副走査方向Ｙにおける両端部に直角又は略直角に立設されて互いに対向する一方側基台側板７３及び他方側基台側板７４と、基台底板７２の主走査方向Ｘにおける一方側（この例では背面側）に直角又は略直角に立設されたセンサ支持側板７５とを備えている。本実施の形態では、基台底板７２、一方側基台側板７３、他方側基台側板７４及びセンサ支持側板７５は、一体形成されて走査基台７１を構成している。走査基台７１は、例えば、アクリロニトリル・ブタジエン・スチレン共重合体（ＡＢＳ樹脂）で形成することができる。
【００９１】
他方側基台側板７４には、密着型イメージセンサ４８の一対の被支持軸４８ｂがそれぞれ挿入される一対の支持孔７４ｃ，７４ｃが設けられている。支持孔７４ｃは、主走査方向Ｘに沿って形成されており、被支持軸４８ｂを鉛直方向Ｚに移動させる鉛直方向Ｚに延びた長孔とされている。支持孔７４ｃは、主走査方向Ｘの長さが被支持軸４８ｂの主走査方向Ｘの長さよりも大きくなっており、副走査方向Ｙの幅が被支持軸４８ｂを鉛直方向Ｚに円滑に移動させる程度に被支持軸４８ｂの直径よりも若干大きくなっている。
【００９２】
また、基台底板７２は、上面の密着型イメージセンサ４８における一対のセンサ側保持部４８ｃ，４８ｃに対向する位置にそれぞれ設けられて付勢部材９０を保持する一対の基台側保持部７２ａ，７２ａ（図５、図６（ａ）、図１１及び図１２（ａ）参照）を有している。基台側保持部７２ａは、基台底板７２の上面より下側に窪んで形成されており、基台側保持部７２ａに付勢部材９０の他端を挿入して保持するようになっている。これにより、基台側保持部７２ａ及びこれに対向するセンサ側保持部４８ｃは、付勢部材９０の両端を保持することにより（図５及び図６（ａ）参照）、密着型イメージセンサ４８を位置決めすることができる。
【００９３】
かかる構成を備えた走査体ＳＵでは、密着型イメージセンサ４８と走査基台７１とを組み合わせるにあたり、先ず、一対の付勢部材９０，９０の他端を基台底板７２における一対の基台側保持部７２ａ，７２ａにそれぞれ保持し、密着型イメージセンサ４８を主走査方向Ｘに沿った軸線回りの斜めの姿勢にして被支持軸４８ｂを支持孔７４ｃに対峙させた状態で密着型イメージセンサ４８を主走査方向Ｘの一方側（この例では背面側）に移動させ、一対の被支持軸４８ｂ，４８ｂを一対の支持孔７４ｃ，７４ｃにそれぞれ挿入する。次に、密着型イメージセンサ４８を被支持軸４８ｂ回りに回動し、一対の付勢部材９０，９０の一端を密着型イメージセンサ４８の下面におけるセンサ側保持部４８ｃ，４８ｃに保持して、走査基台７１内に密着型イメージセンサ４８を収容する。ここで、一対の被支持軸４８ｂ，４８ｂに挿入される一対の支持孔７４ｃは鉛直方向Ｚに沿った長孔とされているので、密着型イメージセンサ４８を走査基台７１に対して鉛直方向Ｚに移動自在に支持させることができると共に、付勢部材９０は密着型イメージセンサ４８と走査基台７１との間に挟持されているので、走査基台７１に対して密着型イメージセンサ４８を原稿載置台４０に向けて付勢することができる。
【００９４】
本実施の形態では、センサ支持側板７５の内側面には、密着型イメージセンサ４８の主走査方向Ｘにおける一方側（この例では背面側）の側面と当接するセンサ支持部７５ａが設けられている。本実施の形態では、センサ支持部７５ａは、密着型イメージセンサ４８との摩擦抵抗を抑えるという観点から、副走査方向Ｙに間隔をおいて鉛直方向Ｚに沿って延びる一対のリブとされており、センサ支持側板７５の内側面より内側に突出して形成されている。
【００９５】
また、基台底板７２の主走査方向Ｘにおける他方側（センサ支持側板７５とは反対側）の端部には、密着型イメージセンサ４８の主走査方向Ｘにおける他方側への移動を規制するセンサ移動規制部７２ｂが設けられている。センサ移動規制部７２ｂは、基台底板７２の主走査方向Ｘにおける他方側の端部から上方に直角又は略直角に立設されて形成されている。
【００９６】
なお、図５から図７及び図１１から図１３において、説明していない符号の箇所につては、後述する。
【００９７】
［摺動部材］
図１４は、第１実施形態に係る走査体ＳＵにおける摺動部材１００を示す外観図である。図１４（ａ）は、その正面図を示しており、図１４（ｂ）は、その左右の側面図を示している。なお、摺動部材１００は、左右の側面から見て何れも同じ形状とされているため、図１４（ｂ）において一つの図で表している。
【００９８】
図１５は、第１実施形態に係る走査体ＳＵを示す斜視図である。図１６は、第１実施形態に係る走査体ＳＵを示す外観図である。図１６（ａ）は、その平面図を示しており、図１６（ｂ）は、その右側面図を示している。図１７は、第１実施形態に係る走査体ＳＵの正面図である。また、図１８は、図１６（ａ）に示す矢符Ｄ−Ｄ線に沿った断面図である。図１９は、図１６（ａ）に示す矢符Ｅ−Ｅ線に沿った断面図である。また、図２０は、図１６（ａ）に示す矢符Ｆ−Ｆ線に沿った断面図である。
【００９９】
走査体ＳＵは、摺動部材１００をさらに備えている。摺動部材１００は、密着型イメージセンサ４８の原稿載置台４０（図２参照）との対向面（具体的には上面４８４）及び原稿載置台４０の密着型イメージセンサ４８との対向面（この例では原稿載置ガラス４３の下面４３ａ）の間に設けられ、かつ、原稿載置台４０の密着型イメージセンサ４８との対向面（この例では原稿載置ガラス４３の下面４３ａ）に摺動されるものである。
【０１００】
走査体ＳＵは、密着型イメージセンサ４８と走査基台７１とを組み合わせた状態（図６及び図７参照）において、摺動部材１００を取り付けることで構成される。
【０１０１】
摺動部材１００は、摺動性を有する材料で形成されていることが好ましい。こうすることで、摩擦抵抗による摺動部材１００の摩耗を効果的に防ぐことができ、密着型イメージセンサ４８を円滑に移動させることができる。摺動部材１００は、例えば、ポリオキシメチレン（ＰＯＭ）で形成することができる。
【０１０２】
そして、摺動部材１００は、原稿載置台４０（この例では原稿載置ガラス４３）に対して接近又は離反するように、かつ、走査基台７１に対して移動が許容されるように（この例では鉛直方向Ｚに移動自在に）走査基台７１の副走査方向Ｙにおける両側面（この例では一方側基台側板７３の外側面７３ａ及び他方側基台側板７４の外側面７４ａ）に係合されている。
【０１０３】
摺動部材１００は、弾性を有していることが好ましい。こうすることで、摺動部材１００を簡単に弾性変形させることができ、これにより摺動部材１００を走査基台７１に容易に取り付けることができる。
【０１０４】
詳しくは、摺動部材１００は、密着型イメージセンサ４８と原稿載置台４０（この例では原稿載置ガラス４３）との間に配置される摺動部１０１と、摺動部１０１の副走査方向Ｙにおける両端部からそれぞれ走査基台７１の副走査方向Ｙにおける両外側面（この例では一方側基台側板７３の外側面７３ａ及び他方側基台側板７４の外側面７４ａ）に沿って原稿載置台４０側とは反対側（具体的には下側）に延びた一対の延設部１０２，１０３とを備えている。
【０１０５】
一対の延設部１０２，１０３の走査基台７１と対向する側面（この例では互いに対向する内側面１０２ａ，１０３ａ）には、係合部１０２ｂ，１０３ｂが設けられている。
【０１０６】
走査基台７１の副走査方向Ｙにおける両外側面（この例では一方側基台側板７３及び他方側基台側板７４の外側）には、係合部１０２ｂ，１０３ｂと係合する被係合部７３ｄ，７４ｄが設けられている。
【０１０７】
なお、一対の延設部１０２，１０３は、摺動部１０１の副走査方向Ｙにおける両端部からそれぞれ走査基台７１の副走査方向Ｙにおける両内側面（この例では一方側基台側板７３の内側面７３ｅ及び他方側基台側板７４の内側面７４ｅ）に沿って原稿載置台４０側とは反対側に延びていてもよい。この場合、一対の延設部１０２，１０３の副走査方向Ｙにおける外側面に係合部１０２ｂ，１０３ｂを設け、走査基台７１の副走査方向Ｙにおける両内側面（この例では一方側基台側板７３の内側面７３ｅ及び他方側基台側板７４の内側面７４ｅ）に被係合部７３ｄ，７４ｄを設けることができる。
【０１０８】
本実施の形態では、摺動部材１００の走査基台７１に対する係合は、凹凸係合とされている。例えば、係合部１０２ｂ，１０３ｂが凸部とされる一方、被係合部７３ｄ，７４ｄが凹部とされていてもよいし、係合部１０２ｂ，１０３ｂが凹部とされる一方、被係合部７３ｄ，７４ｄが凸部とされていてもよい。また、係合部１０２ｂ，１０３ｂの何れか一方が凸部とされ、他方が凹部とされる一方、被係合部７３ｄ，７４ｄの何れか一方が凹部とされ、他方が凸部とされていてもよい。この例では、係合部１０２ｂ，１０３ｂが凸部とされる一方、被係合部７３ｄ，７４ｄが凹部とされている。
【０１０９】
本実施の形態では、係合部１０２ｂ，１０３ｂ及び被係合部７３ｄ，７４ｄは、走査基台７１に対する摺動部材１００の鉛直方向Ｚへの相対移動をガイドする構成とされている。
【０１１０】
具体的には、摺動部材１００における摺動部１０１（図１４参照）は、副走査方向Ｙに延びた直線状の形状とされており、密着型イメージセンサ４８の上面４８４と接触する接触部１０１ａと、原稿載置台４０の密着型イメージセンサ４８との対向面（この例では原稿載置ガラス４３の下面４３ａ）と摺接する摺接部１０１ｂとを有している。ここでは、接触部１０１ａは、密着型イメージセンサ４８の平坦な上面４８４と全面的に接触する平坦面とされ、摺動部１０１における摺接部１０１ｂは、原稿載置台４０に対し線接触又は点接触するような形状、詳しくは原稿載置台４０側の端部（頂部）が原稿載置台４０の密着型イメージセンサ４８との対向面（この例では原稿載置ガラス４３の下面４３ａ）と副走査方向Ｙに沿って線接触又は点接触するような形状とされている。こうすることで、摺接部１０１ｂの原稿載置台４０の密着型イメージセンサ４８との対向面（この例では原稿載置ガラス４３の下面４３ａ）との摩擦抵抗を抑えることができる。
【０１１１】
摺接部１０１ｂの原稿載置台４０の密着型イメージセンサ４８との対向面（この例では原稿載置ガラス４３の下面４３ａ）と副走査方向Ｙに沿って線接触する形状としては、例えば、副走査方向Ｙに沿ってドーム状（断面視円弧状）に形成されている態様、副走査方向Ｙに沿って三角柱状（断面視三角形状）に形成されている態様を挙げることができる。摺接部１０１ｂの原稿載置台４０の密着型イメージセンサ４８との対向面（この例では原稿載置ガラス４３の下面４３ａ）と点接触する形状としては、例えば、副走査方向Ｙに沿って複数の球面状の突起を並設した形状に形成されている態様を挙げることができる。この例では、摺接部１０１ｂは、副走査方向Ｙに沿ってドーム状に形成されている。
【０１１２】
また、摺動部１０１の副走査方向Ｙにおける両端部の上面には、副走査方向Ｙにおける両外側へ向かうに従って原稿載置台４０から次第に離間するように（両外側に行くに従って下方に）傾斜する傾斜面１０１ｃが形成されている。これにより、摺接部１０１ｂの原稿載置台４０の密着型イメージセンサ４８との対向面（この例では原稿載置ガラス４３の下面４３ａ）との摩擦抵抗をさらに抑えることができる上、第２保持部４７の下面４７ｂ（図２参照）と原稿読取ガラス４２の下面４２ａとの間の境界部、原稿読取ガラス４２の下面４２ａと第１保持部４６の下面４６ｂ（図２参照）との間の境界部及び第１保持部４６の下面４６ｂと原稿載置台４０の密着型イメージセンサ４８との対向面（この例では原稿載置ガラス４３の下面４３ａ）との境界部において、走査体ＳＵを副走査方向Ｙに円滑に往復移動させることができる。
【０１１３】
なお、摺接部１０１ｂの原稿載置台４０の密着型イメージセンサ４８との対向面（この例では原稿載置ガラス４３の下面４３ａ）との摩擦抵抗をより一層抑えるという観点から、摺接部１０１ｂには、副走査方向Ｙにおける中央部において主走査方向Ｘに沿った凹部（例えばＶ字状の溝）が形成されていてもよい。
【０１１４】
一対の延設部１０２，１０３は、何れも鉛直方向Ｚに延びた直線状の形状とされており、互いに対向する内側面１０２ａ，１０３ａを有している。ここでは、内側面１０２ａ，１０３ａは、接触部１０１ａと直角又は略直角とされ、それぞれ、一方側基台側板７３及び他方側基台側板７４の外側において互いに平行又は略平行に形成されている。そして、内側面１０２ａ，１０３ａ間の距離ｄ１（図１７参照）は、摺動部材１００が走査基台７１に対して円滑に相対移動できる程度に一方側基台側板７３の外側面７３ａ及び他方側基台側板７４の外側面７４ａの距離ｄ２（図１７参照）よりも若干大きくなっている。
【０１１５】
係合部１０２ｂ，１０３ｂは、一対の延設部１０２，１０３の下端部において内側面１０２ａ，１０３ａから内側に突設された凸部とされている。ここでは、係合部１０２ｂ，１０３ｂは、副走査方向Ｙに沿って延びた棒状（具体的には円柱状）の形状とされている。なお、係合部１０２ｂ，１０３ｂは、円柱状の形状に限定されるものではなく、四角柱等の角柱状の形状であってもよい。
【０１１６】
係合部１０２ｂ，１０３ｂは、頂部（先端面１０２ｃ，１０３ｃ）が一方側基台側板７３の内側面７３ｅ及び他方側基台側板７４の内側面７４ｅと面一又は略面一か或いは一方側基台側板７３の内側面７３ｅ及び他方側基台側板７４の内側面７４ｅよりも若干内側に突き出ていることが好ましい。この例では、係合部１０２ｂ，１０３ｂは、頂部（先端面１０２ｃ，１０３ｃ）が一方側基台側板７３の内側面７３ｅ及び他方側基台側板７４の内側面７４ｅよりも若干内側に突き出ている。
【０１１７】
本実施の形態では、摺動部１０１、一対の延設部１０２，１０３及び係合部１０２ｂ，１０３ｂは、一体形成されて摺動部材１００を構成している。
【０１１８】
そして、本実施の形態では、摺動部材１００は、走査基台７１の副走査方向Ｙにおける両端部に設けられている。よって、走査基台７１に設けられた被係合部７３ｄ，７４ｄは、走査基台７１の主走査方向Ｘにおける両端部に位置している。
【０１１９】
被係合部７３ｄは、一方側基台側板７３の主走査方向Ｘにおける両端部に設けられた一対の凹部とされている。被係合部７３ｄは、一方側基台側板７３の下端部において鉛直方向Ｚの下端から上方に延びた縦貫通孔と、基台底板７２の一方側基台側板７３側端部において該縦貫通孔の下端に連通しかつ他方側基台側板７４側に延びた横貫通孔とからなっている。
【０１２０】
被係合部７４ｄは、他方側基台側板７４の主走査方向Ｘにおける両端部に設けられた一対の凹部とされている。被係合部７４ｄは、他方側基台側板７４の下端部において鉛直方向Ｚの下端から上方に延びた縦貫通孔と、基台底板７２の他方側基台側板７４側端部において該縦貫通孔の下端に連通しかつ一方側基台側板７３側に延びた横貫通孔とからなっている。
【０１２１】
被係合部７３ｄ，７４ｄにおける縦貫通孔の鉛直方向Ｚの長さは、摺動部材１００が走査基台７１に対して鉛直方向Ｚに相対移動する距離よりも大きめの長さとなっている。被係合部７３ｄ，７４ｄにおける横貫通孔の副走査方向Ｙの長さは、摺動部材１００における係合部１０２ｂ，１０３ｂの副走査方向Ｙの長さよりも大きめの長さとなっている。被係合部７３ｄ，７４ｄにおける縦貫通孔及び横貫通孔の主走査方向Ｘのサイズは、摺動部材１００における係合部１０２ｂ，１０３ｂが被係合部７３ｄ，７４ｄに対して円滑に相対移動できる程度に係合部１０２ｂ，１０３ｂの主走査方向Ｘのサイズよりも若干大きくなっている。
【０１２２】
被係合部７３ｄ，７４ｄにおける縦貫通孔の頂部（上端部）は、摺動部材１００における係合部１０２ｂ，１０３ｂの外形の形状に対応する形状（具体的には側面視半円形状）に形成されている（図１１及び図１２（ｂ）参照）。
【０１２３】
なお、被係合部７３ｄ，７４ｄは、貫通孔に限定されるものではなく、一方側基台側板７３及び他方側基台側板７４の外側において鉛直方向Ｚに延びるように形成された溝とされ、係合部１０２ｂ，１０３ｂは、頂部（先端部）が一方側基台側板７３及び他方側基台側板７４の被係合部７３ｄ，７４ｄ内に納まるように突出していてもよい。
【０１２４】
以上説明した走査体ＳＵでは、密着型イメージセンサ４８と走査基台７１とを組み合わせた状態（図６及び図７参照）において、摺動部材１００を走査基台７１に取り付けるにあたり、例えば、走査基台７１の被係合部７３ｄ，７４ｄの上方に摺動部材１００を副走査方向Ｙに向くように配置し、延設部１０２，１０３が副走査方向Ｙにおける外側に開くように摺動部材１００（具体的には摺動部１０１及び／又は延設部１０２，１０３）を弾性変形させて係合部１０２ｂ，１０３ｂを走査基台７１の副走査方向Ｙにおける両外側面（具体的には一方側基台側板７３の外側面７３ａ及び他方側基台側板７４の外側面７４ａ）に当接させる。そして、係合部１０２ｂ，１０３ｂを走査基台７１の副走査方向Ｙにおける両外側面（具体的には一方側基台側板７３の外側面７３ａ及び他方側基台側板７４の外側面７４ａ）に沿って下方へ移動させ、係合部１０２ｂ，１０３ｂが被係合部７３ｄ，７４ｄに到達したとき、摺動部材１００（具体的には摺動部１０１及び／又は延設部１０２，１０３）が元の形状に戻って、自然と係合部１０２ｂ，１０３ｂが被係合部７３ｄ，７４ｄに係合される。このように、係合部１０２ｂ，１０３ｂを被係合部７３ｄ，７４ｄに係合する際に、摺動部材１００を下方へ移動させるという簡単な操作で、係合部１０２ｂ，１０３ｂを被係合部７３ｄ，７４ｄに係合させることができ、従って、摺動部材１００を走査基台７１に容易に取り付けることができ、これにより、組み立て作業性の容易化を実現させることができる。
【０１２５】
以上説明したように、本第１実施形態によれば、摺動部材１００は、走査基台７１に設けられているので、密着型イメージセンサ４８に摺動部材１００を設けるといった加工を行う必要がない。これにより、密着型イメージセンサ４８として、安価な汎用品を用いることができる。さらに、摺動部材１００は、走査基台７１に対して係合されているので、摺動部材１００を容易に交換することができる。しかも、摺動部材１００は、原稿載置台４０（この例では原稿載置ガラス４３）に対して接近又は離反するように、かつ、走査基台７１対して移動が許容されるように走査基台７１の副走査方向Ｙにおける両側面に係合されているので、走査基台７１の両側面と摺動部材１００との間の摩擦抵抗をできるだけ小さくすることができ、ひいては、摺動部材１００がたとえ走査基台７１に押し込まれたり、或いは、走査基台７１がたとえ原稿載置台４０（この例では原稿載置ガラス４３）から離反したりしても、摺動部材１００を、密着型イメージセンサ４８を原稿載置台４０側に付勢した状態で支持する走査基台７１に対して接近方向及び離反方向に円滑に相対移動させることができ、これにより、密着型イメージセンサ４８の原稿Ｇに対する焦点距離を確実に確保することができる。
【０１２６】
また、本第１実施形態では、摺動部材１００は、走査基台７１に対して鉛直方向Ｚに移動自在に係合されていることで、走査基台７１がたとえ原稿載置台４０（この例では原稿載置ガラス４３）から離反しても、摺動部材１００を走査基台７１に対して鉛直方向Ｚに確実に相対移動させることができ、従って、密着型イメージセンサ４８を原稿載置台４０に対して平行な姿勢を保った状態を維持させやすくすることができる。
【０１２７】
また、本第１実施形態では、摺動部材１００は、密着型イメージセンサ４８と原稿載置台４０（この例では原稿載置ガラス４３）との間に配置される摺動部１０１と、摺動部１０１の副走査方向Ｙにおける両端部からそれぞれ走査基台７１の副走査方向Ｙにおける両側面に沿って原稿載置台４０側とは反対側に延びた一対の延設部１０２，１０３とを備えていることで、摺動部材１００の走査基台７１に対する着脱を簡単な構成で実現させることができる。また、一対の延設部１０２，１０３の走査基台７１と対向する側面（この例では内側面１０２ａ，１０３ａ）に係合部１０２ｂ，１０３ｂが設けられ、走査基台７１の副走査方向Ｙにおける両側面（この例では一方側基台側板７３の外側面７３ａ及び他方側基台側板７４の外側面７４ａ）に係合部１０２ｂ，１０３ｂと係合する被係合部７３ｄ，７４ｄが設けられていることで、摺動部材１００の走査基台７１に対する鉛直方向Ｚへの移動自在の係合を容易に実現させることができる。
【０１２８】
また、本第１実施形態では、摺動部材１００の走査基台７１に対する係合が凹凸係合とされていることで、簡単な構成でありながら、摺動部材１００を走査基台７１に対して容易に係合させることができる。
【０１２９】
［第２実施形態から第４実施形態］
次に、第２実施形態から第４実施形態に係る走査体ＳＵについて図２１から図３０を参照しながら、以下に説明する。
【０１３０】
第２実施形態から第４実施形態に係る走査体ＳＵは、第１実施形態に係る走査体ＳＵにおいて、走査基台７１の副走査方向Ｙにおける両側面のうち少なくとも一方の側面（この例では両側面）に、延設部１０２，１０３の主走査方向Ｘにおける両側において、延設部１０２，１０３の鉛直方向Ｚへの移動をガイドする一対のガイド部（７３１，７３２），（７４１，７４２）を設けたものである。
【０１３１】
第２実施形態から第４実施形態では、このように、走査基台７１の副走査方向Ｙにおける両側面のうち少なくとも一方の側面（この例では両側面）に延設部１０２，１０３の主走査方向Ｘにおける両側において延設部１０２，１０３の鉛直方向Ｚへの移動をガイドする一対のガイド部（７３１，７３２），（７４１，７４２）が設けられていることで、走査基台７１に対して摺動部材１００を鉛直方向Ｚに安定的に相対移動させることができる。
【０１３２】
具体的には、一対のガイド部（７３１，７３２），（７４１，７４２）は、互いに平行になるように鉛直方向Ｚに沿って連続的に延びている。一対のガイド部（７３１，７３２），（７４１，７４２）の主走査方向Ｘにおける間隔ｄ３（図２２参照）は、延設部１０２，１０３を鉛直方向Ｚに円滑に移動させる程度に延設部１０２，１０３の主走査方向Ｘにおける幅ｄ４（図２２参照）より若干大きくなっている。また、本実施の形態では、基台底板７２、一方側基台側板７３、他方側基台側板７４及びセンサ支持側板７５に加えて一対のガイド部（７３１，７３２），（７４１，７４２）が一体形成されて走査基台７１を構成している。
【０１３３】
（第２実施形態）
図２１は、第２実施形態に係る走査体ＳＵを示す斜視図である。図２２は、第２実施形態に係る走査体ＳＵの主走査方向Ｘにおける両端部を拡大して示す平面図である。図２３は、第２実施形態に係る走査体ＳＵの主走査方向Ｘにおける両端部を拡大して示す右側面図であり、図２４は、第２実施形態に係る走査体ＳＵの主走査方向Ｘにおける両端部を拡大して示す左側面図である。
【０１３４】
ところで、第１実施形態に係る走査体ＳＵでは、摺動部材１００を走査基台７１に対して鉛直方向Ｚに円滑に相対移動させるという観点から、一対の延設部１０２，１０３及び走査基台７１は、摺動部材１００が走査基台７１に対して鉛直方向Ｚに相対移動するときに一対の延設部１０２，１０３における係合部１０２ｂ，１０３ｂと走査基台７１にける被係合部７３ｄ，７４ｄとの摩擦抵抗を抑えるために、係合部１０２ｂ，１０３ｂと被係合部７３ｄ，７４ｄとの接触面積を可及的に小さくするように構成されている。この例では、一対の延設部１０２，１０３は、走査基台７１に対して副走査方向Ｙに沿った回動軸線（具体的には円柱状の係合部１０２ｂ，１０３ｂ）回りに回動自在に係合される。こうすることで、摺動部材１００を走査基台７１に対して摩擦抵抗を極力抑えた状態で鉛直方向Ｚに円滑に相対移動させることができる。
【０１３５】
また、一対のガイド部（７３１，７３２），（７４１，７４２）は、摺動部材１００を走査基台７１に対して鉛直方向Ｚに円滑に相対移動させる観点から、延設部１０２，１０３との接触面積を可及的に小さくすることが好ましい。
【０１３６】
また、摺動部材１００は、構成上（例えば、画像読取装置の２主走査方向Ｘにおけるコンパクト化を実現させるという観点から、密着型イメージセンサ４８における筐体４８２の主走査方向Ｘにおけるサイズを可及的に小さくするといった構成上）、この例では、摺動部１０１が密着型イメージセンサ４８の主走査方向Ｘにおける端部、詳しくは密着型イメージセンサ４８における筐体４８２の主走査方向Ｘにおける端縁である外装端縁４８ｅの内側の外装端縁４８ｅに近接（さらに言えば隣接）した位置に配置されている（図２２参照）。この場合、一対の延設部１０２，１０３が走査基台７１に対して副走査方向Ｙに沿った回動軸線（具体的には円柱状の係合部１０２ｂ，１０３ｂ）回りに回動自在に係合されていると、一対の延設部１０２，１０３が副走査方向Ｙに沿った回動軸線回りの主走査方向Ｘにおける外側に回動して摺動部１０１が密着型イメージセンサ４８の上面４８４から脱落することがある。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に顕著となる。
【０１３７】
この点に関し、第２実施形態では、図２１から図２４に示すように、摺動部１０１が密着型イメージセンサ４８の主走査方向Ｘにおける端部、詳しくは密着型イメージセンサ４８における筐体４８２の外装端縁４８ｅの内側における外装端縁４８ｅに近接した位置に配置されている場合、延設部１０２，１０３をガイドする一対のガイド部（７３１，７３２），（７４１，７４２）のうち主走査方向Ｘにおける外側にある一方のガイド部７３１，７４１（図２３及び図２４参照）は、走査体ＳＵの副走査方向Ｙの移動による延設部１０２，１０３の鉛直方向Ｚの移動に関わらず、延設部１０２，１０３の少なくとも回動軸線（具体的には円柱状の係合部１０２ｂ，１０３ｂ）よりも原稿載置台４０側（具体的には上側）の部分を案内するように設けられている。すなわち、外側にある一方のガイド部７３１，７４１は、延設部１０２，１０３の回動軸線よりも原稿載置台４０側の部分を案内できればよく、延設部１０２，１０３の回動軸線よりも原稿載置台４０側の部分のみを案内するように設けられていてもよいし、原稿載置台４０側の部分及び原稿載置台４０側とは反対側（具体的には下側）の部分の双方を案内するように設けられていてもよい。
【０１３８】
この例では、外側にある一方のガイド部７３１，７４１は、走査体ＳＵの副走査方向Ｙの移動による延設部１０２，１０３の鉛直方向Ｚの移動に関わらず、鉛直方向Ｚにおける原稿載置台４０側の端部（頂面７３１ａ，７４１ａ）が延設部１０２，１０３の回動軸線よりも原稿載置台４０側に位置し、鉛直方向Ｚにおける原稿載置台４０側とは反対側の端部（底面７３１ｂ，７４１ｂ）が延設部１０２，１０３の回動軸線よりも原稿載置台４０側とは反対側に位置するように設けられている。
【０１３９】
そして、外側にある一方のガイド部７３１，７４１は、鉛直方向Ｚにおける原稿載置台４０側の端部（頂面７３１ａ，７４１ａ）が主走査方向Ｘにおける内側にある他方のガイド部７３２，７４２の鉛直方向Ｚにおける原稿載置台４０側の端部（頂面７３２ａ，７４２ａ）よりも原稿載置台４０側（具体的には上側）に位置するように設けられている（図２３の左側及び図２４参照）。
【０１４０】
また、本第２実施形態では、内側にある他方のガイド部７３２，７４２（図２３及び図２４参照）は、走査体ＳＵの副走査方向Ｙの移動による延設部１０２，１０３の鉛直方向Ｚの移動に関わらず、延設部１０２，１０３の少なくとも回動軸線（具体的には円柱状の係合部１０２ｂ，１０３ｂ）よりも原稿載置台４０側とは反対側（具体的には下側）の部分を案内するように設けられている。すなわち、内側にある他方のガイド部７３２，７４２は、延設部１０２，１０３の回動軸線よりも原稿載置台４０側とは反対側の部分を案内できればよく、延設部１０２，１０３の回動軸線よりも原稿載置台４０側とは反対側の部分のみを案内するように設けられていてもよいし、原稿載置台４０側（具体的には上側）の部分及び原稿載置台４０側とは反対側の部分の双方を案内するように設けられていてもよい。
【０１４１】
この例では、内側にある他方のガイド部７３２，７４２は、走査体ＳＵの副走査方向Ｙの移動による延設部１０２，１０３の鉛直方向Ｚの移動に関わらず、鉛直方向Ｚにおける原稿載置台４０側とは反対側の端部（底面７３２ｂ，７４２ｂ）が延設部１０２，１０３の回動軸線よりも原稿載置台４０側とは反対側に位置し、鉛直方向Ｚにおける原稿載置台４０側の端部（頂面７３２ａ，７４２ａ）が延設部１０２，１０３の回動軸線よりも原稿載置台４０側に位置するように設けられている。
【０１４２】
また、本第２実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側（具体的には下側）に位置し、外側にある一方のガイド部７３１，７４１は、鉛直方向Ｚにおける原稿載置台４０側の端部（頂面７３１ａ，７４１ａ）が走査基台７１の鉛直方向Ｚにおける原稿載置台４０側の端部（頂面７１ａ）まで設けられている。
【０１４３】
具体的には、外側にある一方のガイド部７３１，７４１は、鉛直方向Ｚにおける原稿載置台４０側の端部（頂面７３１ａ，７４１ａ）が一方側基台側板７３及び他方側基台側板７４の鉛直方向Ｚにおける原稿載置台４０側の端部（頂面７１ａ）に位置するように設けられている。
【０１４４】
以上説明したように、本第２実施形態によれば、延設部１０２，１０３をガイドする一対のガイド部（７３１，７３２），（７４１，７４２）のうち主走査方向Ｘにおける外側にある一方のガイド部７３１，７４１は、延設部１０２，１０３の少なくとも回動軸線（具体的には円柱状の係合部１０２ｂ，１０３ｂ）よりも原稿載置台４０側の部分を案内するように、かつ、鉛直方向Ｚにおける原稿載置台４０側の端部（頂面７３１ａ，７４１ａ）が主走査方向Ｘにおける内側にある他方のガイド部７３２，７４２の鉛直方向Ｚにおける原稿載置台４０側の端部（頂面７３２ａ，７４２ａ）よりも原稿載置台４０側に位置するように設けられていることで、外側にある一方のガイド部７３１，７４１の延設部１０２，１０３との接触面積を可及的に少なくした状態で走査基台７１に対して摺動部材１００を鉛直方向Ｚに円滑に相対移動させることができる上、一対の延設部１０２，１０３の副走査方向Ｙに沿った回動軸線（具体的には円柱状の係合部１０２ｂ，１０３ｂ）回りの主走査方向Ｘにおける外側への回動を効果的に防止することができ、これにより摺動部１０１の密着型イメージセンサ４８の上面４８４からの脱落を回避することができる。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に有効となる。
【０１４５】
また、本第２実施形態では、内側にある他方のガイド部７３２，７４２は、延設部１０２，１０３の少なくとも回動軸線（具体的には円柱状の係合部１０２ｂ，１０３ｂ）よりも原稿載置台４０側とは反対側の部分を案内するように設けられていることで、一対の延設部１０２，１０３の副走査方向Ｙに沿った回動軸線（具体的には円柱状の係合部１０２ｂ，１０３ｂ）回りの主走査方向Ｘにおける外側への回動をさらに効果的に防止することができる。
【０１４６】
また、本第２実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側に位置し、外側にある一方のガイド部７３１，７４１は、鉛直方向Ｚにおける原稿載置台４０側の端部（頂面７３１ａ，７４１ａ）が走査基台７１の鉛直方向Ｚにおける原稿載置台４０側の端部（頂面７１ａ）まで設けられていることで、一対の延設部１０２，１０３の主走査方向Ｘにおける外側への回動を確実に防止できると共に、密着型イメージセンサ４８が原稿載置台４０に最も近づいた状態であっても、走査基台７１及び一方のガイド部７３１，７４１を何れも原稿載置台４０の密着型イメージセンサ４８との対向面（この例では原稿載置ガラス４３の下面４３ａ）とは接触しないようにすることができ、これにより、摺動部１０１による密着型イメージセンサ４８と原稿載置台４０（この例では原稿載置ガラス４３）との間の距離、すなわち密着型イメージセンサ４８の原稿Ｇに対する焦点距離を支障なく確保することができる。
【０１４７】
（第３実施形態）
図２５は、第３実施形態に係る走査体ＳＵの主走査方向Ｘにおける両端部を拡大して示す平面図である。図２６は、第３実施形態に係る走査体ＳＵの主走査方向Ｘにおける両端部を拡大して示す右側面図であり、図２７は、第３実施形態に係る走査体ＳＵの主走査方向Ｘにおける両端部を拡大して示す左側面図である。
【０１４８】
ところで、摺動部材１００は、構成上（例えば、画像読取装置２の主走査方向Ｘにおけるコンパクト化を実現させるという観点から、密着型イメージセンサ４８における筐体４８２の主走査方向Ｘにおけるサイズを可及的に小さくするといった構成上）、この例では、摺動部１０１が密着型イメージセンサ４８における読取部４８１の主走査方向Ｘにおける端部、詳しくは密着型イメージセンサ４８における読取部４８１（具体的には上面４８４における読取面）の主走査方向Ｘにおける端縁である読取端縁４８ｆの外側の読取端縁４８ｆに近接（さらに言えば隣接）した位置に配置されている（図２５参照）。この場合、一対の延設部１０２，１０３が走査基台７１に対して副走査方向Ｙに沿った回動軸線（具体的には円柱状の係合部１０２ｂ，１０３ｂ）回りに回動自在に係合されていると、一対の延設部１０２，１０３が副走査方向Ｙに沿った回動軸線回りの主走査方向Ｘにおける内側に回動して摺動部１０１が読取部４８１を遮蔽することがある。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に顕著となる。
【０１４９】
この点に関し、第３実施形態では、図２５から図２７に示すように、摺動部１０１が密着型イメージセンサ４８における読取部４８１の主走査方向Ｘにおける端部、詳しくは密着型イメージセンサ４８における読取部４８１の読取端縁４８ｆの外側における読取端縁４８ｆに近接した位置に配置されている場合、延設部１０２，１０３をガイドする一対のガイド部（７３１，７３２），（７４１，７４２）のうち主走査方向Ｘにおける内側にある一方のガイド部７３２，７４２（図２６及び図２７参照）は、走査体ＳＵの副走査方向Ｙの移動による延設部１０２，１０３の鉛直方向Ｚの移動に関わらず、延設部１０２，１０３の少なくとも回動軸線（具体的には円柱状の係合部１０２ｂ，１０３ｂ）よりも原稿載置台４０側（具体的には上側）の部分を案内するように設けられている。すなわち、内側にある一方のガイド部７３２，７４２は、延設部１０２，１０３の回動軸線よりも原稿載置台４０側の部分を案内できればよく、延設部１０２，１０３の回動軸線よりも原稿載置台４０側の部分のみを案内するように設けられていてもよいし、原稿載置台４０側の部分及び原稿載置台４０側とは反対側（具体的には下側）の部分の双方を案内するように設けられていてもよい。
【０１５０】
この例では、内側にある一方のガイド部７３２，７４２は、走査体ＳＵの副走査方向Ｙの移動による延設部１０２，１０３の鉛直方向Ｚの移動に関わらず、鉛直方向Ｚにおける原稿載置台４０側の端部（頂面７３２ａ，７４２ａ）が延設部１０２，１０３の回動軸線よりも原稿載置台４０側に位置し、鉛直方向Ｚにおける原稿載置台４０側とは反対側の端部（底面７３２ｂ，７４２ｂ）が延設部１０２，１０３の回動軸線よりも原稿載置台４０側とは反対側に位置するように設けられている。
【０１５１】
そして、内側にある一方のガイド部７３２，７４２は、鉛直方向Ｚにおける原稿載置台４０側の端部（頂面７３２ａ，７４２ａ）が主走査方向Ｘにおける外側にある他方のガイド部７３１，７４１の鉛直方向Ｚにおける原稿載置台４０側の端部（頂面７３１ａ，７４１ａ）よりも原稿載置台４０側（具体的には上側）に位置するように設けられている。
【０１５２】
また、本第３実施形態では、外側にある他方のガイド部７３１，７４１（図２６及び図２７参照）は、走査体ＳＵの副走査方向Ｙの移動による延設部１０２，１０３の鉛直方向Ｚの移動に関わらず、延設部１０２，１０３の少なくとも回動軸線（具体的には円柱状の係合部１０２ｂ，１０３ｂ）よりも原稿載置台４０側とは反対側（具体的には下側）の部分を案内するように設けられている。すなわち、外側にある他方のガイド部７３１，７４１は、延設部１０２，１０３の回動軸線よりも原稿載置台４０側とは反対側の部分を案内できればよく、延設部１０２，１０３の回動軸線よりも原稿載置台４０側とは反対側の部分のみを案内するように設けられていてもよいし、原稿載置台４０側（具体的には上側）の部分及び原稿載置台４０側とは反対側の部分の双方を案内するように設けられていてもよい。
【０１５３】
この例では、外側にある他方のガイド部７３１，７４１は、走査体ＳＵの副走査方向Ｙの移動による延設部１０２，１０３の鉛直方向Ｚの移動に関わらず、鉛直方向Ｚにおける原稿載置台４０側とは反対側の端部（底面７３１ｂ，７４１ｂ）が延設部１０２，１０３の回動軸線よりも原稿載置台４０側とは反対側に位置し、鉛直方向Ｚにおける原稿載置台４０側の端部（頂面７３１ａ，７４１ａ）が延設部１０２，１０３の回動軸線よりも原稿載置台４０側に位置するように設けられている。
【０１５４】
また、本第３実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側（具体的には下側）に位置し、内側にある一方のガイド部７３２，７４２は、鉛直方向Ｚにおける原稿載置台４０側の端部（頂面７３２ａ，７４２ａ）が走査基台７１の鉛直方向Ｚにおける原稿載置台４０側の端部（頂面７１ａ）まで設けられている。
【０１５５】
具体的には、内側にある一方のガイド部７３２，７４２は、鉛直方向Ｚにおける原稿載置台４０側の端部（頂面７３２ａ，７４２ａ）が一方側基台側板７３及び他方側基台側板７４の鉛直方向Ｚにおける原稿載置台４０側の端部（頂面７１ａ）に位置するように設けられている。
【０１５６】
以上説明したように、本第３実施形態によれば、延設部１０２，１０３をガイドする一対のガイド部（７３１，７３２），（７４１，７４２）のうち主走査方向Ｘにおける内側にある一方のガイド部７３２，７４２は、延設部１０２，１０３の少なくとも回動軸線（具体的には円柱状の係合部１０２ｂ，１０３ｂ）よりも原稿載置台４０側の部分を案内するように、かつ、鉛直方向Ｚにおける原稿載置台４０側の端部（頂面７３２ａ，７４２ａ）が主走査方向Ｘにおける外側にある他方のガイド部７３１，７４１の鉛直方向Ｚにおける原稿載置台４０側の端部（頂面７３１ａ，７４１ａ）よりも原稿載置台４０側に位置するように設けられていることで、内側にある一方のガイド部７３２，７４２の延設部１０２，１０３との接触面積を可及的に少なくした状態で走査基台７１に対して摺動部材１００を鉛直方向Ｚに円滑に相対移動させることができる上、一対の延設部１０２，１０３の副走査方向Ｙに沿った回動軸線（具体的には円柱状の係合部１０２ｂ，１０３ｂ）回りの主走査方向Ｘにおける内側への回動を効果的に防止することができ、これにより摺動部１０１による読取部４８１の遮蔽を回避することができる。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に有効となる。
【０１５７】
また、本第３実施形態では、外側にある他方のガイド部７３１，７４１は、延設部１０２，１０３の少なくとも回動軸線（具体的には円柱状の係合部１０２ｂ，１０３ｂ）よりも原稿載置台４０側とは反対側の部分を案内するように設けられていることで、一対の延設部１０２，１０３の副走査方向Ｙに沿った回動軸線（具体的には円柱状の係合部１０２ｂ，１０３ｂ）回りの主走査方向Ｘにおける内側への回動をさらに効果的に防止することができる。
【０１５８】
また、本第３実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側に位置し、内側にある一方のガイド部７３２，７４２は、鉛直方向Ｚにおける原稿載置台４０側の端部（頂面７３２ａ，７４２ａ）が走査基台７１の鉛直方向Ｚにおける原稿載置台４０側の端部（頂面７１ａ）まで設けられていることで、一対の延設部１０２，１０３の主走査方向Ｘにおける内側への回動を確実に防止できると共に、密着型イメージセンサ４８が原稿載置台４０に最も近づいた状態であっても、走査基台７１及び一方のガイド部７３２，７４２を何れも原稿載置台４０の密着型イメージセンサ４８との対向面（この例では原稿載置ガラス４３の下面４３ａ）とは接触しないようにすることができ、これにより、摺動部１０１による密着型イメージセンサ４８と原稿載置台４０（この例では原稿載置ガラス４３）との間の距離、すなわち密着型イメージセンサ４８の原稿Ｇに対する焦点距離を支障なく確保することができる。
【０１５９】
（第４実施形態）
図２８は、第４実施形態に係る走査体ＳＵの主走査方向Ｘにおける両端部を拡大して示す平面図である。図２９は、第４実施形態に係る走査体ＳＵの主走査方向Ｘにおける両端部を拡大して示す右側面図であり、図３０は、第４実施形態に係る走査体ＳＵの主走査方向Ｘにおける両端部を拡大して示す左側面図である。
【０１６０】
ところで、摺動部材１００は、構成上（例えば、画像読取装置の２主走査方向Ｘにおけるコンパクト化を実現させるという観点から、密着型イメージセンサ４８における筐体４８２の主走査方向Ｘにおけるサイズを可及的に小さくするといった構成上）、この例では、摺動部１０１が密着型イメージセンサ４８の主走査方向Ｘにおける端部、詳しくは密着型イメージセンサ４８における筐体４８２の主走査方向Ｘにおける端縁である外装端縁４８ｅの内側の外装端縁４８ｅに近接（さらに言えば隣接）した位置であって摺動部１０１が密着型イメージセンサ４８における読取部４８１の主走査方向Ｘにおける端部、詳しくは密着型イメージセンサ４８における読取部４８１の主走査方向Ｘにおける端縁である読取端縁４８ｆの外側の読取端縁４８ｆに近接（さらに言えば隣接）した位置に配置されている（図２８参照）。この場合、一対の延設部１０２，１０３が走査基台７１に対して副走査方向Ｙに沿った回動軸線（具体的には円柱状の係合部１０２ｂ，１０３ｂ）回りに回動自在に係合されていると、一対の延設部１０２，１０３が副走査方向Ｙに沿った回動軸線回りの主走査方向Ｘにおける外側に回動して摺動部１０１が密着型イメージセンサ４８の上面４８４から脱落したり、一対の延設部１０２，１０３が副走査方向Ｙに沿った回動軸線回りの主走査方向Ｘにおける内側に回動して摺動部１０１が読取部４８１を遮蔽したりすることがある。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に顕著となる。
【０１６１】
この点に関し、第４実施形態では、図２８から図３０に示すように、摺動部１０１が密着型イメージセンサ４８の主走査方向Ｘにおける端部、詳しくは密着型イメージセンサ４８における筐体４８２の外装端縁４８ｅの内側における外装端縁４８ｅに近接した位置であって密着型イメージセンサ４８における読取部４８１の主走査方向Ｘにおける端部、詳しくは密着型イメージセンサ４８における読取部４８１の読取端縁４８ｆの外側における読取端縁４８ｆに近接した位置に配置されている場合、延設部１０２，１０３をガイドする一対のガイド部（７３１，７３２），（７４１，７４２）（図２９及び図３０参照）は、走査体ＳＵの副走査方向Ｙの移動による延設部１０２，１０３の鉛直方向Ｚの移動に関わらず、何れも延設部１０２，１０３の少なくとも回動軸線（具体的には円柱状の係合部１０２ｂ，１０３ｂ）よりも原稿載置台４０側（具体的には上側）の部分を案内するように設けられている。すなわち、主走査方向Ｘにおける外側及び内側にある一対のガイド部（７３１，７３２），（７４１，７４２）は、延設部１０２，１０３の回動軸線よりも原稿載置台４０側の部分を案内できればよく、延設部１０２，１０３の回動軸線よりも原稿載置台４０側の部分のみを案内するように設けられていてもよいし、原稿載置台４０側の部分及び原稿載置台４０側とは反対側（具体的には下側）の部分の双方を案内するように設けられていてもよい。
【０１６２】
この例では、外側及び内側にある一対のガイド部（７３１，７３２），（７４１，７４２）は、走査体ＳＵの副走査方向Ｙの移動による延設部１０２，１０３の鉛直方向Ｚの移動に関わらず、鉛直方向Ｚにおける原稿載置台４０側の端部（頂面（７３１ａ，７３２ａ），（７４１ａ，７４２ａ））及び鉛直方向Ｚにおける原稿載置台４０側とは反対側の端部（底面（７３１ｂ，７３２ｂ），（７４１ａ，７４２ｂ））が何れも延設部１０２，１０３の回動軸線よりも原稿載置台４０側に位置するように設けられている。
【０１６３】
また、本第４実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側（具体的には下側）に位置し、外側及び内側にある一対のガイド部（７３１，７３２），（７４１，７４２）は、鉛直方向Ｚにおける原稿載置台４０側の端部（頂面（７３１ａ，７３２ａ），（７４１ａ，７４２ａ））が走査基台７１の鉛直方向Ｚにおける原稿載置台４０側の端部（頂面７１ａ）まで設けられている。
【０１６４】
具体的には、外側及び内側にある一対のガイド部（７３１，７３２），（７４１，７４２）は、鉛直方向Ｚにおける原稿載置台４０側の端部（頂面（７３１ａ，７３２ａ），（７４１ａ，７４２ａ））が一方側基台側板７３及び他方側基台側板７４の鉛直方向Ｚにおける原稿載置台４０側の端部（頂面７１ａ）に位置するように設けられている。
【０１６５】
以上説明したように、本第４実施形態によれば、延設部１０２，１０３をガイドする一対のガイド部（７３１，７３２），（７４１，７４２）は、何れも延設部１０２，１０３の少なくとも回動軸線（具体的には円柱状の係合部１０２ｂ，１０３ｂ）よりも原稿載置台４０側の部分を案内するように設けられていることで、外側及び内側にある一対のガイド部（７３１，７３２），（７４１，７４２）の延設部１０２，１０３との接触面積を可及的に少なくした状態で走査基台７１に対して摺動部材１００を鉛直方向Ｚに円滑に相対移動させることができる上、一対の延設部１０２，１０３の副走査方向Ｙに沿った回動軸線（具体的には円柱状の係合部１０２ｂ，１０３ｂ）回りの主走査方向Ｘにおける外側及び内側への回動を効果的に防止することができ、これにより摺動部１０１の密着型イメージセンサ４８の上面４８４からの脱落を回避することができると共に摺動部１０１による読取部４８１の遮蔽を回避することができる。このことは、本実施の形態のように、摺接部１０１ｂが原稿載置台４０に対し線接触又は点接触するような形状、詳しくは原稿載置台４０の密着型イメージセンサ４８との対向面（この例では原稿載置ガラス４３の下面４３ａ）と副走査方向Ｙに沿って線接触又は点接触するような形状（この例では副走査方向Ｙに沿ってドーム状）に形成されている場合に、特に有効となる。
【０１６６】
また、本第４実施形態では、走査基台７１の鉛直方向Ｚにおける原稿載置台４０側の端部（頂面７１ａ）が摺動部材１００の鉛直方向Ｚにおける原稿載置台４０側の端部である摺接部１０１ｂよりも（この例では密着型イメージセンサ４８の上面４８４よりも）鉛直方向Ｚにおける原稿載置台４０側とは反対側に位置し、外側及び内側にある一対のガイド部（７３１，７３２），（７４１，７４２）は、鉛直方向Ｚにおける原稿載置台４０側の端部（頂面（７３１ａ，７３２ａ），（７４１ａ，７４２ａ））が走査基台７１の鉛直方向Ｚにおける原稿載置台４０側の端部（頂面７１ａ）まで設けられていることで、一対の延設部１０２，１０３の主走査方向Ｘにおける外側及び内側への回動を確実に防止できると共に、密着型イメージセンサ４８が原稿載置台４０に最も近づいた状態であっても、走査基台７１及び一対のガイド部（７３１，７３２），（７４１，７４２）を何れも原稿載置台４０の密着型イメージセンサ４８との対向面（この例では原稿載置ガラス４３の下面４３ａ）とは接触しないようにすることができ、これにより、摺動部１０１による密着型イメージセンサ４８と原稿載置台４０（この例では原稿載置ガラス４３）との間の距離、すなわち密着型イメージセンサ４８の原稿Ｇに対する焦点距離を支障なく確保することができる。
【０１６７】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１６８】
１        画像形成装置
１０      装置本体
１００    摺動部材
１０１    摺動部
１０１ａ  接触部
１０１ｂ  摺接部
１０１ｃ  傾斜面
１０２    延設部
１０２ａ  内側面
１０２ｂ  係合部
１０３    延設部
１０３ａ  内側面
１０３ｂ  係合部
２        画像読取装置
４０      原稿載置台
４１      走査部
４２      原稿読取ガラス
４２ａ    下面
４３      原稿載置ガラス
４３ａ    下面
４８      密着型イメージセンサ
４８１    読取部
４８２    筐体
４８３    開口部
４８４    上面
４８ａ    センサ側被支持部
４８ｂ    被支持軸
４８ｃ    センサ側保持部
４８ｄ    側面
４８ｅ    外装端縁
４８ｆ    読取端縁
５１      光源
７１      走査基台
７１ａ    頂面
７２      基台底板
７２ａ    基台側保持部
７２ｂ    センサ移動規制部
７３      一方側基台側板
７３１    ガイド部
７３１ａ  頂面
７３１ｂ  底面
７３２    ガイド部
７３２ａ  頂面
７３２ｂ  底面
７４１    ガイド部
７４１ａ  頂面
７４１ｂ  底面
７４２    ガイド部
７４２ａ  頂面
７４２ｂ  底面
７３ａ    外側面
７３ｄ    被係合部
７３ｅ    内側面
７４      他方側基台側板
７４ａ    外側面
７４ｂ    走査基台側支持部
７４ｃ    支持孔
７４ｄ    被係合部
７４ｅ    内側面
９０      付勢部材
Ｇ        原稿
ＳＵ      走査体
Ｘ        主走査方向
Ｙ        副走査方向
Ｚ        鉛直方向
【図１】
2018019429.tif 000003
【図２】
2018019429.tif 000004
【図３】
2018019429.tif 000005
【図４】
2018019429.tif 000006
【図５】
2018019429.tif 000007
【図６】
2018019429.tif 000008
【図７】
2018019429.tif 000009
【図８】
2018019429.tif 000010
【図９】
2018019429.tif 000011
【図１０】
2018019429.tif 000012
【図１１】
2018019429.tif 000013
【図１２】
2018019429.tif 000014
【図１３】
2018019429.tif 000015
【図１４】
2018019429.tif 000016
【図１５】
2018019429.tif 000017
【図１６】
2018019429.tif 000018
【図１７】
2018019429.tif 000019
【図１８】
2018019429.tif 000020
【図１９】
2018019429.tif 000021
【図２０】
2018019429.tif 000022
【図２１】
2018019429.tif 000023
【図２２】
2018019429.tif 000024
【図２３】
2018019429.tif 000025
【図２４】
2018019429.tif 000026
【図２５】
2018019429.tif 000027
【図２６】
2018019429.tif 000028
【図２７】
2018019429.tif 000029
【図２８】
2018019429.tif 000030
【図２９】
2018019429.tif 000031
【図３０】
2018019429.tif 000032
【図３１】
2018019429.tif 000033